(57)【特許請求の範囲】
【請求項１】
光源が収納され道路に並行して配置される器具本体と、前記器具本体において道路に面した前面側に取り付けられ前記光源からの光の一部を透過させることにより表示内容を視認させる表示パネルと、前記表示パネルからの出射光量が最大になる方向を、前記表示パネルの正面方向に対して道路に沿う方向における少なくとも一側に所要角度ずらして設定する指向性付与手段とを備え、道路に沿う方向における前記器具本体の両側壁の少なくとも一方に前記光源からの光のうち表示パネルを透過しない光の一部を漏洩させる位置表示窓が設けられていることを特徴とするトンネル用誘導標識。
【請求項２】
前記指向性付与手段が前記所要角度を３０〜９０度の範囲に設定するものであることを特徴とする請求項１記載のトンネル用誘導標識。
【請求項３】
前記指向性付与手段が前記表示パネルの背面に配置され前記光源からの光に指向性を付与して出射する指向性フィルムであることを特徴とする請求項１または請求項２記載のトンネル用誘導標識。
【請求項４】
前記光源が前記表示パネルの背面側に配置されていることを特徴とする請求項１ないし請求項３のいずれか１項に記載のトンネル用誘導標識。
【請求項５】
前記表示パネルの背面側に配置され前記光源からの光を前記表示パネルに導く導光板が付加されていることを特徴とする請求項１ないし請求項３のいずれか１項に記載のトンネル用誘導標識。
【請求項６】
前記導光板が矩形状の出射面を前記表示パネルに対向させる形で配置され、前記導光板の出射面に隣接する４つの周面のうちの互いに離れた２面から前記光源の光を導入することを特徴とする請求項５記載のトンネル用誘導標識。
【請求項７】
前記導光板の４つの周面のうち道路に沿う方向の２面から前記光源の光を導入することを特徴とする請求項６記載のトンネル用誘導標識。
【請求項８】
前記光源が発光ダイオードであることを特徴とする請求項１ないし請求項７のいずれか１項に記載のトンネル用誘導標識。
【請求項９】
前記光源が冷陰極管であることを特徴とする請求項１ないし請求項７のいずれか１項に記載のトンネル用誘導標識。
【発明の詳細な説明】
【０００１】
【発明の属する技術分野】
本発明は、トンネル内において避難口や非常口を示すために設けられるトンネル用誘導標識に関するものである。
【０００２】
【従来の技術】
従来から、トンネル内における避難口や非常口への誘導を目的として、光源を内蔵した誘導標識が提供されている。一般に、この種の誘導標識は器具本体内に光源を備え、光源からの光の少なくとも一部を透過させる表示パネルを器具本体において道路に面した前面に取り付けた構成を有している。表示パネルには誘導に必要な表示内容を表す図形や文字が印刷され、さらに光源からの光を拡散させて輝度むらを低減するために白色塗料が印刷されている。つまり、従来のトンネル用誘導標識では光源からの光を、器具本体の前面側における全方向にほぼ均等に拡散させるものであった。
【０００３】
【発明が解決しようとする課題】
ところで、トンネル内において避難口や非常口に誘導するには、誘導標識を道路に沿う方向で遠方から視認できることが望ましい。従来から提供されている誘導標識は、上述したように、光源からの光を器具本体の前面側にほぼ均等に無指向に拡散させるものであるから、誘導標識を視認するための光量をさほど必要としない正面方向や上下方向に対しても比較的大きい光量で光を出射していることになる。言い換えると、遠方からの視認を要求される方向への光量を確保すると、大きな光量を必要としない方向に無駄な光が出射されていることになり、結果的に消費電力に無駄を生じていることになる。また、光量を確保するために、光量の大きい光源あるいは複数の光源を用いなければならないから、大型化や高コスト化につながるという問題もある。
【０００４】
本発明は上記事由に鑑みて為されたものであり、その目的は、遠方からの視認性を確保しながらも無駄な電力消費を低減し、かつ小型化および低コスト化が可能なトンネル用誘導標識を提供することにある。
【０００５】
【課題を解決するための手段】
請求項１の発明は、光源が収納され道路に並行して配置される器具本体と、前記器具本体において道路に面した前面側に取り付けられ前記光源からの光の一部を透過させることにより表示内容を視認させる表示パネルと、前記表示パネルからの出射光量が最大になる方向を、前記表示パネルの正面方向に対して道路に沿う方向における少なくとも一側に所要角度ずらして設定する指向性付与手段とを備え、道路に沿う方向における前記器具本体の両側壁の少なくとも一方に前記光源からの光のうち表示パネルを透過しない光の一部を漏洩させる位置表示窓が設けられているものである。この構成によれば、表示パネルからの出射光量が最大になる方向を表示パネルの正面方向からずらすような指向性（光量の強度分布）を与えることによって、遠方からの視認が必要な方向には十分な光量を確保しながらも、表示パネルの正面方向への光量をより少なくすることができる。つまり、遠方からの視認性を従来品と同程度に確保するとすれば、従来品よりも光量の少ない光源を用いることが可能になり省エネルギになる上に、光量の少ない光源を用いることによって小型化や低コスト化につながり、しかも、一般に低消費電力の光源は高消費電力の光源に比較すると、電極温度が低いなどの理由により光源の劣化が遅く寿命が長いから、メンテナンスに要するコストの低減にもつながる。また、位置表示窓から光が漏れることによってトンネル内で遠方から識別標識の存在を認識させることができる。加えて、位置表示窓から漏れる光は従来は利用されていなかった光であるから、エネルギの損失はほとんど生じない。
【０００６】
請求項２の発明は、請求項１の発明において、前記指向性付与手段が前記所要角度を３０〜９０度の範囲に設定するものであることを特徴とする。この構成によれば、トンネル内において実際に遠方からの視認性が要求される方向への光量を他の方向よりも大きくとることができ、望ましい設計が可能になる。
【０００７】
請求項３の発明は、請求項１または請求項２の発明において、前記指向性付与手段が前記表示パネルの背面に配置され前記光源からの光に指向性を付与して出射する指向性フィルムであることを特徴とする。この構成によれば、光源からの光を透過させる指向性フィルムによって光の出射方向に指向性を付与することができ、厚みをほとんど増加させることなく指向性の制御が可能になる。つまり、指向性フィルムは表面に凹凸を有したフィルム状の部材であって、指向性を付与する部材として反射板などを用いる場合に比較すると薄型に形成することが可能であり、表示パネルの前後方向における器具本体の厚み寸法を比較的小さくすることができる。
【０００８】
請求項４の発明は、請求項１ないし請求項３の発明において、前記光源が前記表示パネルの背面側に配置されているものである。
【０００９】
請求項５の発明は、請求項１ないし請求項３の発明において、前記表示パネルの背面側に配置され前記光源からの光を前記表示パネルに導く導光板が付加されているものである。
【００１０】
請求項６の発明は、請求項５の発明において、前記導光板が矩形状の出射面を前記表示パネルに対向させる形で配置され、前記導光板の出射面に隣接する４つの周面のうちの互いに離れた２面から前記光源の光を導入するものである。
【００１１】
請求項７の発明は、請求項６の発明において、前記導光板の４つの周面のうち道路に沿う方向の２面から前記光源の光を導入するものである。
【００１２】
請求項８の発明は、請求項１ないし請求項７の発明において、前記光源が発光ダイオードであることを特徴とする。
【００１３】
請求項９の発明は、請求項１ないし請求項７の発明において、前記光源が冷陰極管であることを特徴とする。
【００１５】
なお、指向性付与手段として指向性フィルムを示したが、発光ダイオードのような微小な発光素子を複数組み合わせて光源とするような場合には、発光ダイオードの配列や向きを調節することによって指向性を付与することが可能であり、また、指向性フィルムのように透過光に指向性を付与するものではなく、光源に対して表示パネルの反対側に配置される反射要素によって指向性を付与することも可能である。
【００１６】
【発明の実施の形態】
（第１の実施の形態）
本実施形態は、図１ないし図６に示すように、直方体状の器具本体１を備え、器具本体１における厚み方向の一面（以下、前面という）に設けた矩形状の窓孔２に表示パネル３が装着される。器具本体１はトンネルＴの側壁Ｗに道路に並行するように固定される。つまり、器具本体１は使用時には前面を道路側に向けて取り付けられ、本実施形態では、器具本体１の前面は道路に沿う方向の寸法が上下方向の寸法よりも長い長方形状に形成される。また、器具本体１の前後方向（つまり、厚み方向）については寸法が比較的小さく、トンネルＴの壁面Ｗからの突出寸法を小さくしてある。器具本体１は、壁面Ｗに取り付けられるボディ１０と、ボディ１０の前面側のカバー１１とを結合して形成され、図３に示すように、ボディ１０とカバー１１とはパッキン１２を介して結合される。
【００１７】
ボディ１０には、図３および図４に示すように、直管状の冷陰極管からなる複数本（図示例では３本）の光源４が道路に沿う方向に取り付けられる。ここに、光が後方に放射されるのを防止するために、各光源４ごとに光を前方に反射する反射器１３が設けられる。
【００１８】
カバー１１の前壁には上述した窓孔２が開口し、表示パネル３は窓孔２に対応する部位でカバー１１の前壁の裏面側からカバー１１に取り付けられる。表示パネル３は透明の合成樹脂板またはガラス板であって、表示内容および光の拡散性を付与するための白色塗料を印刷したものを用いる。たとえば、図１に示すように表示内容として道路に沿う方向の両方の向きについて矢印を表記し、さらに矢印で示した各向きにおいて避難口や非常口までの距離（図示例では単位「ｍ」のみ記載してある）を表記する。
【００１９】
ところで、本実施形態は、表示パネル３からの出射光の配光曲線が図１に二点鎖線で示す形となるように構成したものである。つまり、表示パネル３からの出射光について、道路に沿う方向の強度分布が図２に示す形になるように指向性を付与することにより、出射光量が最大になる方向を表示パネル３の正面方向に対して道路に沿う方向において所定角度（トンネル内での視認性を考慮すれば、３０〜９０度の範囲が望ましい）ずらして設定してある。指向性を付与する指向性付与手段としては、図５に示すように、表示パネル３の裏面に積層した指向性フィルム５を用いる。指向性フィルム５はフレネルレンズと同様に合成樹脂シートの表面に多数の凹凸を形成したものであって、凹凸の断面を適宜に設計することによって光源４から入射した光に指向性を付与して出射させる。この種の指向性フィルム５は、プリズムシート、指向性シートなどと呼ぶ場合もある。
【００２０】
上述のように指向性フィルム５を用いて表示パネル３からの出射光に指向性を与えることにより、表示パネル３を正面から見る場合よりも、表示パネル３を横ないし斜めから見る場合のほうが高輝度になり、結果的に遠方からの視認性が高くなる。逆に言えば、遠方からの視認性が従来のものと同程度であるとすれば、正面方向への出射光量が低減されることになり、光源４には従来よりも光出力の小さいものを用いることが可能になる。
【００２１】
ところで、道路に沿う方向における器具本体１の両側壁にはそれぞれ光源４からの光を器具本体１の外部に漏洩させる位置表示窓６が各側壁に上下３個ずつ設けられている。位置表示窓６にはガラスないし合成樹脂の透明板６ａが取り付けられ、器具本体１の内部に塵埃が侵入するのを防止してある。
【００２２】
器具本体１に位置表示窓６を設けたことによって、光源４から放射された光のうち表示パネル３の背面で反射された光や表示パネル３に照射されない光が位置表示窓６から漏れることになる。つまり、道路に沿う方向における器具本体１の両側壁に設けた位置表示窓６を通して器具本体１の内部から外部に光が漏れるのであって、道路に沿う方向の遠方から誘導標識の存在を容易に認識させることができる。しかも、位置表示窓６から漏れる光は従来は利用されていなかった光であるから、エネルギの損失はほとんど生じない。
【００２３】
（第２の実施の形態）
第１の実施の形態では、表示パネル３の後方に光源４を配置した構成を例示したが、本実施形態では図７に示すように、２個の光源４ａ，４ｂを用いるとともに、導光板７を介して光源４ａ，４ｂの光を表示パネル３に導く例を示す。導光板７は透明な合成樹脂板により形成され、裏面側には適宜の反射ドットを設けて前面である出射面から取り出す光の強度をほぼ均一にしてある。導光板７は矩形板状に形成され、４つの周面のうちの上下の周面から光源４ａ，４ｂの光を導入するように光源４ａ，４ｂと導光板７とが配置されている。また、第１の実施の形態と同様に、表示パネル３の裏面には指向性フィルム５が積層され、指向性フィルム５を挟んで表示パネル３と導光板７の出射面とが対向する。他の構成および動作は第１の実施の形態と同様である。
【００２４】
なお、上述した実施形態では、光源４として冷陰極放電灯を用いる例を示したが、光源４として発光ダイオードを用いてもよい。発光ダイオードを光源４に用いる場合には複数個配列するのが望ましい。また、上述の実施形態では、表示パネル３の前面側の光の強度分布について正面方向を挟んで両側において光量を最大にしているが、利用形態によっては一側においてのみ光量が最大になるようにしてもよい。同様に、位置表示窓６を器具本体１の両面ではなく片面にのみ設けることも可能である。
【００２５】
【発明の効果】
請求項１の発明の構成によれば、表示パネルからの出射光量が最大になる方向を表示パネルの正面方向からずらすような指向性（光量の強度分布）を与えることによって、遠方からの視認が必要な方向には十分な光量を確保しながらも、表示パネルの正面方向への光量をより少なくすることができる。つまり、遠方からの視認性を従来品と同程度に確保するとすれば、従来品よりも光量の少ない光源を用いることが可能になり省エネルギになる上に、光量の少ない光源を用いることによって小型化や低コスト化につながり、しかも、一般に低消費電力の光源は高消費電力の光源に比較すると、電極温度が低いなどの理由により光源の劣化が遅く寿命が長いから光源の交換頻度が少なくなり、メンテナンスに要するコストの低減にもつながる。また、位置表示窓から光が漏れることによってトンネル内で遠方から識別標識の存在を認識させることができる。加えて、位置表示窓から漏れる光は従来は利用されていなかった光であるから、エネルギの損失はほとんど生じない。
【００２６】
請求項２の発明は、請求項１の発明において、前記指向性付与手段が前記所要角度を３０〜９０度の範囲に設定するものであることを特徴とする。この構成によれば、トンネル内において実際に遠方からの視認性が要求される方向への光量を他の方向よりも大きくとることができ、望ましい設計が可能になる。
【００２７】
請求項３の発明は、請求項１または請求項２の発明において、前記指向性付与手段が前記表示パネルの背面に配置され前記光源からの光に指向性を付与して出射する指向性フィルムであることを特徴とする。この構成によれば、光源からの光を透過させる指向性フィルムによって光の出射方向に指向性を付与することができ、厚みをほとんど増加させることなく指向性の制御が可能になる。つまり、指向性フィルム（プリズムシートとも呼ばれている）は表面に凹凸を有したフィルム状の部材であって、指向性を付与する部材として反射板などを用いる場合に比較すると薄型に形成することが可能であり、表示パネルの前後方向における器具本体の厚み寸法を比較的小さくすることができる。
【００２８】
請求項４の発明は、請求項１ないし請求項３の発明において、前記光源が前記表示パネルの背面側に配置されているので、構成要素が比較的少なく安価に提供することができる。
【００２９】
請求項５の発明は、請求項１ないし請求項３の発明において、前記表示パネルの背面側に配置され前記光源からの光を前記表示パネルに導く導光板が付加されているから、導光板によって輝度むらを抑制することができる。また、導光板を用いることによって輝度むらを抑制しながらも表示パネルの背方の厚み寸法を小さくすることができるから、壁面からの突出寸法が比較的小さくなる。
【００３０】
請求項６の発明は、請求項５の発明において、前記導光板が矩形状の出射面を前記表示パネルに対向させる形で配置され、前記導光板の出射面に隣接する４つの周面のうちの互いに離れた２面から前記光源の光を導入するから、１つの光源で光量を賄う場合に比較すると光源として光出力の小さいものを用いることができ、発熱量の比較的少ない光源を用いることができ、光源の寿命が長くなる。しかも、導光板内での反射回数が比較的少ない光を利用することになるから、光源からの光を有効に利用することができ、省エネルギにつながる。
【００３１】
請求項７の発明は、請求項６の発明において、前記導光板の４つの周面のうち道路に沿う方向の２面から前記光源の光を導入するものであり、一般に表示パネルは上下方向の寸法が道路に沿う方向の寸法よりも小さいことが多いから、道路に双方向の両側の周面から光源の光を導光板に導入する場合に比較して、導光板内での反射回数の少ない光を利用することができる。
【００３２】
請求項８の発明は、請求項１ないし請求項７の発明において、前記光源が発光ダイオードであるから、光源の寿命が長く光源の交換の頻度を少なくすることができるから、メンテナンスの費用が抑制される。
【００３３】
請求項９の発明は、請求項１ないし請求項７の発明において、前記光源が冷陰極管であるから、細径の光源を用いることができ、トンネルの壁面からの突出寸法が比較的小さくなる。
【図面の簡単な説明】
【図１】本発明の第１の実施の形態を示す斜視図である。
【図２】同上の動作説明図である。
【図３】同上の縦断面図である。
【図４】同上の表示パネルと光源との位置関係を示す斜視図である。
【図５】同上に用いる表示パネルと指向性フィルムとの配置を示す斜視図である。
【図６】同上における要部斜視図である。
【図７】本発明の第２の実施の形態を示す要部斜視図である。
【符号の説明】
１  器具本体
３  表示パネル
４  光源
４ａ，４ｂ  光源
５  指向性フィルム
６  位置表示窓
７  導光板
【図１】
0003895941.tif 000002
【図２】
0003895941.tif 000003
【図３】
0003895941.tif 000004
【図４】
0003895941.tif 000005
【図５】
0003895941.tif 000006
【図６】
0003895941.tif 000007
【図７】
0003895941.tif 000008